(57)【特許請求の範囲】
【請求項１】
携帯端末機において、
タッチ入力を受信するタッチスクリーンと、
スピーカーと、
アプリケーションの活性化に対応して前記タッチスクリーン上に映像を再生し、前記スピーカーを介して音声を再生し、前記映像及び音声が再生されている間、前記タッチスクリーンを介してタッチ入力を検出し、前記タッチ入力がパームタッチ入力であるか否かを判断し、前記タッチ入力がパームタッチ入力である場合、前記パームタッチ入力に対応するタッチ入力が予め設定された時間の間維持されることに対応して、前記音声の再生を停止する制御部と、を有することを特徴とする携帯端末機。
【請求項２】
前記制御部は、前記タッチ入力の間、前記タッチ入力に対応する複数の座標によって前記タッチスクリーンのタッチされた面積を検出し、
前記検出された面積に基づき、前記タッチ入力が前記パームタッチ入力に対応するか否かを判断することを特徴とする請求項１に記載の携帯端末機。
【請求項３】
前記制御部は、前記タッチ入力が前記パームタッチ入力であることに対応して、前記映像の再生を中断又は終了することを特徴とする請求項１に記載の携帯端末機。
【請求項４】
タッチスクリーンを有する携帯端末機のユーザインターフェースを提供する方法において、
アプリケーションの活性化に対応して前記タッチスクリーン上に映像を再生し、スピーカーを介して音声を再生する段階と、
前記映像及び音声が再生されている間、前記タッチスクリーンを介してタッチ入力を検出する段階と、
前記タッチ入力がパームタッチ入力であるか否かを判断する段階と、
前記タッチ入力がパームタッチ入力である場合、前前記パームタッチ入力に対応するタッチ入力が予め設定された時間の間維持されることに対応して、前記音声の再生を停止する段階と、を有することを特徴とするユーザインターフェース提供方法。
【請求項５】
前記タッチ入力の間、前記タッチ入力に対応する複数の座標によって前記タッチスクリーンのタッチされた面積を検出する段階と、
前記検出された面積に基づき、前記タッチ入力が前記パームタッチ入力に対応するか否かを判断する段階と、をさらに有することを特徴とする請求項４に記載のユーザインターフェース提供方法。
【請求項６】
前記タッチ入力が前記パームタッチ入力であることに対応して、前記映像の再生を中断又は終了する段階をさらに有することを特徴とする請求項４に記載のユーザインターフェース提供方法。
【請求項７】
インストラクションを格納した記録媒体において、
前記インストラクションは、１つ以上のプロセッサーによって実行される際、前記１つ以上のプロセッサーが、
アプリケーションの活性化に対応してタッチスクリーン上に映像を再生し、スピーカーを介して音声を再生する動作と、
前記映像及び音声が再生されている間、前記タッチスクリーンを介してタッチ入力を検出する動作と、
前記タッチ入力がパームタッチ入力であるか否かを判断する動作と、
前記タッチ入力がパームタッチ入力である場合、前記パームタッチ入力に対応するタッチ入力が予め設定された時間の間維持されることに対応して、前記音声の再生を停止する動作と、を行うようにすることを特徴とする記録媒体。
【請求項８】
前記インストラクションは、１つ以上のプロセッサーによって実行される際、前記１つ以上のプロセッサーが、
前記タッチ入力の間、前記タッチ入力に対応する複数の座標によって前記タッチスクリーンのタッチされた面積を検出する動作と、
前記検出された面積に基づき、前記タッチ入力が前記パームタッチ入力に対応するか否かを判断する動作をさらに行うようにすることを特徴とする請求項７に記載の記録媒体。
【請求項９】
前記インストラクションは、１つ以上のプロセッサーによって実行される際、前記１つ以上のプロセッサーが、
前記タッチ入力が前記パームタッチ入力であることに対応して、前記映像の再生を中断又は終了する動作をさらに行うようにすることを特徴とする請求項７に記載の記録媒体。
【発明の詳細な説明】
【技術分野】
【０００１】
本発明は、携帯端末機及びその動作方法に関し、より詳しくは、タッチスクリーンを有する携帯端末機及びそのユーザインターフェース提供方法に関する。
【背景技術】
【０００２】
一般的に、携帯端末機は、多様な機能が付加されて複合的な機能を実行する。この際、携帯端末機は、各種機能を実行するためのキーボードやマウスなどの入力部を備える必要があるが、携帯が容易ではないという問題点がある。この問題点を克服するために、現在の携帯端末機は、キーボードやマウスの代わりにタッチパネルを備えている。ここで、タッチパネルは多数個のタッチセンサーよりなる。即ち、携帯端末機は、タッチセンサーで感知されるタッチ入力のためのユーザインターフェース（Ｕｓｅｒ  Ｉｎｔｅｒｆａｃｅ：ＵＩ）を提供し、当該タッチ入力に対応して特定機能を実行する。
【０００３】
ところが、上述のような携帯端末機において多様なタッチ入力に対応するユーザインターフェースを提供するのに限界がある。
【発明の概要】
【発明が解決しようとする課題】
【０００４】
本発明は、上記従来の問題点に鑑みてなされたものであって、本発明の目的は、多様なタッチ入力に対応する携帯端末機、及びそのユーザインターフェースを提供することにある。
【課題を解決するための手段】
【０００５】
上記目的を達成するためになされた本発明による携帯端末機は、携帯端末機において、タッチ入力を受信するタッチスクリーンと、スピーカーと、アプリケーションの活性化に対応して前記タッチスクリーン上に映像を再生し、前記スピーカーを介して音声を再生し、前記映像及び音声が再生されている間、前記タッチスクリーンを介してタッチ入力を検出し、前記タッチ入力がパームタッチ入力であるか否かを判断し、前記タッチ入力がパームタッチ入力である場合、前記パームタッチ入力に対応するタッチ入力が予め設定された時間の間維持されることに対応して、前記音声の再生を停止する制御部と、を有することを特徴とする。
【０００６】
前記制御部は、前記タッチ入力の間、前記タッチ入力に対応する複数の座標によって前記タッチスクリーンのタッチされた面積を検出し、前記検出された面積に基づき、前記タッチ入力が前記パームタッチ入力に対応するか否かを判断することが好ましい。
前記制御部は、前記タッチ入力が前記パームタッチ入力であることに対応して、前記映像の再生を中断又は終了することが好ましい。
【０００７】
上記目的を達成するためになされた本発明によるユーザインターフェース提供方法は、タッチスクリーンを有する携帯端末機のユーザインターフェースを提供する方法において、アプリケーションの活性化に対応して前記タッチスクリーン上に映像を再生し、スピーカーを介して音声を再生する段階と、前記映像及び音声が再生されている間、前記タッチスクリーンを介してタッチ入力を検出する段階と、前記タッチ入力がパームタッチ入力であるか否かを判断する段階と、前記タッチ入力がパームタッチ入力である場合、前前記パームタッチ入力に対応するタッチ入力が予め設定された時間の間維持されることに対応して、前記音声の再生を停止する段階と、を有することを特徴とする。
【０００８】
前記タッチ入力の間、前記タッチ入力に対応する複数の座標によって前記タッチスクリーンのタッチされた面積を検出する段階と、前記検出された面積に基づき、前記タッチ入力が前記パームタッチ入力に対応するか否かを判断する段階と、をさらに有することが好ましい。
前記タッチ入力が前記パームタッチ入力であることに対応して、前記映像の再生を中断又は終了する段階をさらに有することが好ましい。
上記目的を達成するためになされた本発明による記録媒体は、インストラクションを格納した記録媒体において、前記インストラクションは、１つ以上のプロセッサーによって実行される際、前記１つ以上のプロセッサーが、アプリケーションの活性化に対応してタッチスクリーン上に映像を再生し、スピーカーを介して音声を再生する動作と、前記映像及び音声が再生されている間、前記タッチスクリーンを介してタッチ入力を検出する動作と、前記タッチ入力がパームタッチ入力であるか否かを判断する動作と、前記タッチ入力がパームタッチ入力である場合、前記パームタッチ入力に対応するタッチ入力が予め設定された時間の間維持されることに対応して、前記音声の再生を停止する動作と、を行うようにすることを特徴とする。
前記インストラクションは、１つ以上のプロセッサーによって実行される際、前記１つ以上のプロセッサーが、前記タッチ入力の間、前記タッチ入力に対応する複数の座標によって前記タッチスクリーンのタッチされた面積を検出する動作と、前記検出された面積に基づき、前記タッチ入力が前記パームタッチ入力に対応するか否かを判断する動作をさらに行うようにすることが好ましい。
前記インストラクションは、１つ以上のプロセッサーによって実行される際、前記１つ以上のプロセッサーが、前記タッチ入力が前記パームタッチ入力であることに対応して、前記映像の再生を中断又は終了する動作をさらに行うようにすることが好ましい。
【発明の効果】
【０００９】
本発明のタッチスクリーンを有する携帯端末機及びそのユーザインターフェース提供方法によれば、携帯端末機においてタッチスクリーンを介して感知する多様なタッチ入力を提案し、それぞれのタッチ入力に対応するユーザインターフェースを提供する。即ち、携帯端末機は、タッチスクリーンを介して感知されるタッチのタッチ面積、移動の有無、移動距離、移動方向、又は保持時間のうちの少なくともいずれか１つによりタッチ入力を決定する。また、携帯端末機は、それぞれのタッチ入力に対応して機能を実行するためのユーザインターフェースを提供する。これにより、携帯端末機を使用するに際して利便性を向上させることができる。
【図面の簡単な説明】
【００１０】
【図１】本発明の一実施形態による携帯端末機の内部構成を示すブロック図である。
【図２】本発明の一実施形態による携帯端末機のユーザインターフェース提供方法を示す流れ図である。
【図３】図２のパームタッチモード実行方法の一例を示す流れ図である。
【図４】図２のパームタッチモード実行方法の一例を説明するための例示図である。
【図５】図２のパームタッチモード実行方法の一例を説明するための例示図である。
【図６】図２のパームタッチモード実行方法の一例を説明するための例示図である。
【図７】図２のパームタッチモード実行方法の一例を説明するための例示図である。
【図８】図２のフィンガータッチモード実行方法の一例を示す流れ図である。
【図９】図２のフィンガータッチモード実行方法の一例を説明するための例示図である。
【図１０】図２のフィンガータッチモード実行方法の一例を説明するための例示図である。
【発明を実施するための形態】
【００１１】
以下、本発明を実施するための形態の具体例を、図面を参照しながら詳細に説明する。ここで、図面において、同一の構成要素は、できるだけ同一の符号で示していることに留意しなければならない。また、本発明の要旨を不明瞭にする可能性がある公知機能及び構成に対する詳細な説明は省略する。
【００１２】
下記説明で、「タッチ」という用語は、携帯端末機においてタッチスクリーンに接触するか、又は接近する行為を示す。ここで、タッチは、携帯端末機のユーザの手又はスタイラス（ｓｔｙｌｕｓ）によって発生する。このようなタッチは、タッチスクリーンでタッチ面積、移動の有無、移動距離、移動方向、又は保持時間（ｈｏｌｄｉｎｇ  ｔｉｍｅ）のうちの少なくともいずれか１つによって多様なタッチ入力を提供する。
【００１３】
「パームタッチ（ｐａｌｍ  ｔｏｕｃｈ）」という用語は、タッチ面積が予め設定された臨界値以上の面積の場合に該当するタッチを示す。例えば、パームタッチは、タッチスクリーンに携帯端末機のユーザの手のひら又は手の側面（ｈａｎｄ  ｂｌａｄｅ）が接触するか、又は接近することを示す。「フィンガータッチ（ｆｉｎｇｅｒ  ｔｏｕｃｈ）」という用語は、タッチ面積が臨界値未満の面積の場合に該当するタッチを示す。例えば、フィンガータッチは、タッチスクリーンに携帯端末機のユーザの指が接触するか、又は接近することを示す。
【００１４】
「既定の臨界値（ｐｒｅｓｅｔ  ｔｈｒｅｓｈｏｌｄ）」という用語は、事前に予め設定された臨界値に基づいて、制御部が、タッチ入力がこの既定の臨界値と同一であるか、それ以上であるかを確認し、それに相当する機能を実行する基準になる。既定の臨界値は、タッチ入力に関連してタッチされた面積（ｔｏｕｃｈｅｄ  ａｒｅａ）、スクリーン上にタッチ入力が行われる保持範囲（ｈｏｌｄｉｎｇ  ｒａｎｇｅ）、タッチ入力の保持時間（ｈｏｌｄｉｎｇ  ｔｉｍｅ）などを含む。既定の臨界値は、ミリメートル、センチメートルなどの特定数値に設定することが可能である。
【００１５】
図１は、本発明の一実施形態による携帯端末機の内部構成を示すブロック図である。本実施形態において、携帯端末機が携帯電話機の場合を仮定して説明する。
【００１６】
図１を参照すると、本実施形態の携帯端末機１００は、無線通信部１１０、タッチスクリーン１２０、制御部１３０、メモリ１４０、オーディオ処理部１５０、及びキー入力部１６０を含む。
【００１７】
無線通信部１１０は、携帯端末機１００の無線通信機能を実行する。このような無線通信部１１０は、送信する信号の周波数を上昇変換して増幅するＲＦ送信機と、受信した信号を増幅して周波数を下降変換するＲＦ受信機などを含む。
【００１８】
タッチスクリーン１２０は、表示部１２１とタッチパネル１２３を含む。表示部１２１は、携帯端末機１００の状態を表示する。この際、表示部１２１は、ＬＣＤで具現され、ＬＣＤ制御部、表示データを格納することができるメモリ、及びＬＣＤ表示素子などを備える。タッチパネル１２３は、表示部１２１に装着され、表示部１２１上でタッチ入力を感知する。このようなタッチパネル１２３は、タッチ感知部１２５と信号変換部１２７とからなる。タッチ感知部１２５は、物理量、例えば、抵抗、静電容量などの変化を検出してタッチ入力を感知する。信号変換部１２７は、物理量の変化をタッチ信号に変換する。
【００１９】
制御部１３０は、携帯端末機１００の全般的な動作を制御する機能を実行する。このような制御部１３０は、送信する信号を符号化及び変調する送信機と、受信した信号を復調及び復号化する受信機などを備えるデータ処理部を含む。データ処理部は、モデムＭＯＤＥＭ及びコーデックＣＯＤＥＣで構成される。コーデックは、パケットデータなどを処理するデータコーデックと音声などのオーディオ信号を処理するオーディオコーデックを備える。また、制御部１３０は、本発明の実施形態によって多様なタッチ入力に対応するユーザインターフェースを提供する。即ち、制御部１３０は、タッチ入力別に異なる機能を実行する。制御部１３０は、タッチに対応するタッチ面積、移動の有無、移動距離、移動方向、又は保持時間のうちの少なくともいずれか１つによってタッチ入力を識別し、それに対応する機能を実行する。このために、制御部１３０は、面積検出部１３１、移動追跡部１３３、及び時間検出部１３５を含む。面積検出部１３１は、タッチに対応するタッチ位置及びタッチ面積を検出する。移動追跡部１３３は、タッチの移動の有無を判断する。また、移動追跡部１３３は、タッチに対応する移動方向を追跡し、移動距離を検出する。時間検出部１３５は、タッチに対応してタッチ位置から予め設定された保持範囲内でタッチの保持時間を検出する。
【００２０】
メモリ１４０は、プログラムメモリ及びデータメモリで構成される。プログラムメモリは、携帯端末機１００の一般的な動作を制御するためのプログラムを格納する。また、プログラムメモリは、本発明の実施形態によって多様なタッチ入力に対応するユーザインターフェースを提供するためのプログラムを格納する。データメモリは、プログラムの実行中に発生するデータを格納する機能を遂行する。メモリ１４０は、本発明の実施形態によってそれぞれのタッチ入力に対応してそれぞれの機能を連関させて格納している。また、メモリ１４０は、タッチに対応するタッチ面積、移動の有無、移動距離、移動方向、又は保持時間と個別的に比較するための臨界値を格納している。
【００２１】
オーディオ処理部１５０は、データ処理部のオーディオコーデックから出力される受信オーディオ信号を、スピーカーＳＰＫを介して再生するか、又はマイクＭＩＣから発生する送信オーディオ信号をデータ処理部のオーディオコーデックに伝送する機能を実行する。
【００２２】
キー入力部１６０は、各種機能などを設定して実行するための機能キーを備える。
【００２３】
図２は、本発明の一実施形態による携帯端末機のユーザインターフェース提供方法を示す流れ図である。
【００２４】
図２を参照すると、本実施形態のユーザインターフェース提供方法は、制御部１３０が、２１１段階で動作画面を表示することから始まる。即ち、制御部１３０は、タッチスクリーン１２０を活性化し、タッチスクリーン１２０を介して動作画面を表示する。この際、制御部１３０は、現在実行されているメニュー又はアプリケーションに対応して動作画面を表示する。
【００２５】
タッチスクリーン１２０でタッチが発生すると、制御部１３０が、２１３段階でこれを感知し、２１５段階でタッチに対応するタッチ面積を検出する。この際、制御部１３０は、タッチ位置を更に検出する。例えば、制御部１３０は、タッチスクリーン１２０でタッチが感知される領域のサイズをタッチ面積として検出し、当該領域の多数個の座標のうちのいずれか１つをタッチ位置として検出する。次に、制御部１３０は、２１７段階でタッチ面積を予め設定された臨界値の面積と比較する。ここで、臨界値の面積は、単一数値であり、一定範囲に該当する数値よりなる。この際、制御部１３０は、タッチ面積において全体的なサイズを臨界値の面積と比較し、タッチ面積において特定方向に該当する長さの範囲を臨界値の面積と比較することもできる。即ち、制御部１３０は、タッチ面積が臨界値以上の面積であるか否かを判断する。
【００２６】
２１７段階でタッチ面積が臨界値以上の面積と判断された場合、制御部１３０は、２１９段階でタッチをパームタッチとして把握し、パームタッチに対応する機能を実行するためのパームタッチモードを行う。この際、タッチ面積が臨界値の面積に該当する数値のうちの上限値以上の場合に、制御部１３０は、パームタッチモードを行う。ここで、制御部１３０は、パームタッチの移動の有無、移動距離、移動方向、又は保持時間のうちの少なくともいずれか１つによってタッチ入力を更に区分し、それに対応する機能を実行する。このような制御部１３０のパームタッチモード実行方法をより詳細に説明すると、次の通りである。
【００２７】
図３は、図２のパームタッチモード実行方法の一例を示す流れ図である。また、図４〜図７は、図２のパームタッチモード実行方法の一例を説明するための例示図である。
【００２８】
図３を参照すると、制御部１３０は、３１１段階でパームタッチに移動があるか否かを判断する。この際、制御部１３０は、パームタッチがタッチ位置から予め設定された保持範囲内の該当する領域から離脱するか否かを確認してパームタッチの移動の有無を判断する。
【００２９】
３１１段階でパームタッチに移動があると判断された場合、制御部１３０は、３１３段階で、パームタッチの移動方向を追跡し、移動距離を検出する。パームタッチの移動は、パームタッチのドラッグ（ｄｒａｇ）、スイープ（ｓｗｅｅｐ）、及びツイスト（ｔｗｉｓｔ）などを含む。次に、制御部１３０は、３１５段階で移動距離を予め設定された臨界値の距離と比較する。ここで、臨界値の距離は、単一数値であり、一定間隔で区分される多数個の数値よりなる。また、臨界値の距離は、特定方向に対応して設定される。この際、制御部１３０は、移動距離を臨界値の距離と比較し、移動距離を移動方向と関連させて臨界値の距離と比較する。即ち、制御部１３０は、移動距離が臨界値以上の距離であるか否かを判断する。
【００３０】
３１５段階で移動距離が臨界値以上の距離と判断された場合、制御部１３０は、３２１段階でパームタッチのタッチ入力を決定してそれに対応する機能を実行する。この際、移動距離が臨界値の距離に該当する数値のうちの下限値以上の場合に、制御部１３０は、移動距離を臨界値の距離に該当するそれぞれの数値と比較する。また、制御部１３０は、移動距離に対応する数値を検出してパームタッチのタッチ入力を決定し、それに対応する機能を実行する。この際、制御部１３０は、タッチスクリーン１２０でパームタッチの解除に対応してタッチ入力を決定し、それに対応する機能を実行する。その後、制御部１３０は、図２にリターンする。一方、３１５段階で移動距離が臨界値未満の距離と判断された場合、制御部１３０は、そのまま図２にリターンする。
【００３１】
例えば、図４（ａ）に示したように、動作画面表示中にタッチスクリーン１２０の左から右に携帯端末機１００のユーザの手の側面が通過すると、制御部１３０は、パームタッチの移動を感知する。この際、制御部１３０は、パームタッチの移動方向を追跡し、移動距離を検出する。また、移動距離が臨界値以上の距離の場合に、制御部１３０は、図４（ｂ）に示したように、動作画面をイメージとして獲得（ｃａｐｔｕｒｅ）する。
【００３２】
また、図５（ａ）に示したように、動作画面表示中にタッチスクリーン１２０の上部から下部に携帯端末機１００のユーザの手の側面が通過すると、制御部１３０は、パームタッチの移動を感知する。この際、制御部１３０は、パームタッチの移動方向を追跡し、移動距離を検出する。また、移動距離が臨界値以上の距離の場合に、制御部１３０は、図５（ｂ）に示したように、動作画面から他の画面に切り替えて表示する。この際、他の画面は、制御部１３０で予め設定され、例えば、ホーム画面である。ここで、制御部１３０は、現在実行されているメニュー又はアプリケーションを終了する。或いは、制御部１３０は、現在実行されているメニュー又はアプリケーションを終了せずに、ホーム画面を表示することもできる。
【００３３】
また、図６（ａ）に示したように、動作画面表示中にタッチスクリーン１２０で携帯端末機１００のユーザの手のひらがツイストされると、制御部１３０は、パームタッチの移動を感知する。この際、制御部１３０は、パームタッチのタッチ位置の変化を感知してパームタッチの移動を感知する。ここで、制御部１３０は、パームタッチの該当する領域の境界部に配置される座標の変化を感知してパームタッチの移動を感知する。或いは、制御部１３０は、パームタッチの該当する領域の境界部に配置される座標を、連結する軸のうちの長軸の方向変化により感知してパームタッチの移動を感知することができる。また、制御部１３０は、パームタッチの移動方向を追跡し、移動距離を検出する。また、移動距離が臨界値以上の距離の場合に、制御部１３０は、図６（ｂ）に示したように、タッチスクリーン１２０にロックを設定する。この際、制御部１３０は、オーディオ処理部１５０を介してタッチスクリーン１２０のロックを通知するためのオーディオ信号を出力する。
【００３４】
一方、３１１段階でパームタッチに移動がないと判断された場合、制御部１３０は、３１７段階でパームタッチの保持時間を検出する。即ち、パームタッチが保持範囲内の該当する領域から離脱しない場合、制御部１３０は、パームタッチが移動なしに保持されていると判断する。また、制御部１３０は、３１９段階で保持時間を予め設定された臨界値の時間と比較する。ここで、臨界値の時間は、単一数値であり、一定間隔で区分される多数個の数値よりなる。即ち、制御部１３０は、保持時間が臨界値以上の時間であるか否かを判断する。
【００３５】
次に、３１９段階で保持時間が臨界値以上の時間と判断された場合、制御部１３０は、３２１段階でパームタッチのタッチ入力を決定してそれに対応する機能を実行する。この際、保持時間が臨界値の時間に該当する数値のうちの下限値以上の場合に、制御部１３０は、保持時間を臨界値の時間に該当するそれぞれの数値と比較する。また、制御部１３０は、保持時間に対応する数値を検出してパームタッチのタッチ入力を決定し、それに対応する機能を実行する。この際、制御部１３０は、タッチスクリーン１２０でパームタッチの解除に対応してタッチ入力を決定し、それに対応する機能を実行する。その後、制御部１３０は、図２にリターンする。一方、３１９段階で保持時間が臨界値未満の時間と判断された場合、制御部１３０は、そのまま図２にリターンする。
【００３６】
例えば、制御部１３０は、図７（ａ）に示したような動作画面を表示する。この際、制御部１３０は、画像通話又はデジタル放送受信などを実行し、映像又は音声のうちの少なくともいずれか１つを再生する。また、図７（ｂ）に示したように、動作画面表示中にタッチスクリーン１２０で携帯端末機１００のユーザの手のひらが接触すると、制御部１３０は、パームタッチの保持を感知する。この際、制御部１３０は、パームタッチの保持時間を検出する。また、保持時間が臨界値以上の時間の場合に、制御部１３０は、動作画面に対応して映像又は音声の再生を停止させる。また、図７（ｂ）に示したように、映像又は音声の再生が停止された状態でタッチスクリーン１２０から携帯端末機１００のユーザの手のひらの接触が解除されると、制御部１３０は、図７（ａ）に示したような映像又は音声の再生を継続する。
【００３７】
また、制御部１３０は、図７（ａ）に示したような動作画面を表示する。この際、制御部１３０は、映像又は音声のうちの少なくともいずれか１つの再生を停止させる。ここで、動作画面は、映像の停止画面である。また、図７（ｂ）に示したように、動作画面表示中にタッチスクリーン１２０で携帯端末機１００のユーザの手のひらが接触すると、制御部１３０は、パームタッチの保持を感知する。この際、制御部１３０は、パームタッチの保持時間を検出する。そして、保持時間が臨界値以上の時間の場合に、制御部１３０は、動作画面に対応して映像又は音声の再生を継続する。
【００３８】
一方、２１７段階でタッチ面積が臨界値未満の面積と判断された場合、制御部１３０は、２２１段階で、タッチをフィンガータッチとして把握し、フィンガータッチに対応する機能を実行するためのフィンガータッチモードを行う。この際、タッチ面積が臨界値の面積に該当する数値のうちの下限値未満の場合に、制御部１３０は、フィンガータッチモードを行う。ここで、制御部１３０は、フィンガータッチの移動の有無、移動距離、移動方向、又は保持時間のうちの少なくともいずれか１つによってタッチ入力を更に区分し、それに対応する機能を実行する。このようなフィンガータッチモード実行方法をより詳細に説明すると、次の通りである。
【００３９】
図８は、図２のフィンガータッチモード実行方法の一例を示す流れ図である。また、図９及び図１０は、図２のフィンガータッチモード実行方法の一例を説明するための例示図である。
【００４０】
図８を参照すると、制御部１３０は、８１１段階でフィンガータッチに移動があるか否かを判断する。この際、制御部１３０は、フィンガータッチがタッチ位置から予め設定された保持範囲内の該当する領域から離脱するか否かを確認してフィンガータッチの移動の有無を判断する。
【００４１】
８１１段階でフィンガータッチに移動があると判断された場合、制御部１３０は、８１３段階で、フィンガータッチの移動方向を追跡し、移動距離を検出する。フィンガータッチの移動は、フィンガータッチのドラッグ、スイープ、及びツイストなどを含む。次に、制御部１３０は、８１５段階で移動距離を予め設定された臨界値の距離と比較する。ここで、臨界値の距離は、単一数値であり、一定間隔で区分される多数個の数値よりなる。また、臨界値の距離は、特定の方向に対応して設定される。この際、制御部１３０は、移動距離を臨界値の距離と比較し、移動距離を移動方向と関連させて臨界値の距離と比較する。即ち、制御部１３０は、移動距離が臨界値以上の距離であるか否かを判断する。
【００４２】
８１５段階で移動距離が臨界値以上の距離と判断された場合、制御部１３０は、８１７段階でフィンガータッチのタッチ面積が変更されたか否かを判断する。次に、制御部１３０は、８２３段階で、フィンガータッチのタッチ面積が変更されたか否かによってタッチ入力を決定し、それに対応する機能を実行する。この際、移動距離が臨界値の距離に該当する数値のうちの下限値以上の場合に、制御部１３０は、移動距離を臨界値の距離に該当するそれぞれの数値と比較する。また、制御部１３０は、移動距離に対応する数値を検出してフィンガータッチのタッチ入力を決定し、それに対応する機能を実行する。この際、制御部１３０は、タッチスクリーン１２０でフィンガータッチの解除に対応してタッチ入力を決定し、それに対応する機能を実行する。その後、制御部１３０は、図２にリターンする。一方、８１５段階で移動距離が臨界値未満の距離と判断された場合、制御部１３０は、そのまま図２にリターンする。
【００４３】
例えば、図９（ａ）に示したように、動作画面表示中にタッチスクリーン１２０で携帯端末機１００のユーザの指がツイストされると、制御部１３０は、フィンガータッチの移動を感知する。この際、制御部１３０は、フィンガータッチのタッチ位置の変化を感知してパームタッチの移動を感知する。ここで、制御部１３０は、フィンガータッチに該当する領域の境界部に配置される座標の変化を感知してフィンガータッチの移動を感知する。或いは、制御部１３０は、フィンガータッチの該当する領域の境界部に配置される座標を、連結する軸のうちの長軸の方向変化により感知してフィンガータッチの移動を感知することができる。また、制御部１３０は、フィンガータッチの移動方向を追跡し、移動距離を検出する。また、移動距離が臨界値以上の距離の場合に、制御部１３０は、図９（ｂ）に示したように、動作画面を回転させる。
【００４４】
また、図１０（ａ）に示したように、動作画面表示中にタッチスクリーン１２０の１つの角部（ｃｏｒｎｅｒ）の縁から内部に携帯端末機１００のユーザの指が移動（ｄｒａｇ）すると、制御部１３０は、フィンガータッチの移動を感知する。この際、制御部１３０は、フィンガータッチの移動方向を追跡し、移動距離を検出する。また、移動距離が臨界値以上の距離の場合に、制御部１３０は、図１０（ｂ）に示したように、動作画面で対応する角部を畳む効果を表現する。その後、図１０（ｃ）に示したように、タッチスクリーン１２０で携帯端末機１００のユーザの指が保持されると、制御部１３０は、フィンガータッチに対応するタッチ面積が変更されたか否かを判断する。タッチ面積が変更されたと判断された場合、制御部１３０は、図１０（ｄ）に示したように、動作画面でブックマーク（ｂｏｏｋｍａｒｋ）処理する。即ち、制御部１３０は、動作画面の位置をお気に入りリストに追加して記録する。
【００４５】
一方、８１１段階でフィンガータッチに移動がないと判断された場合、制御部１３０は、８１９段階でフィンガータッチの保持時間を検出する。即ち、フィンガータッチが保持範囲内の該当する領域から離脱しない場合、制御部１３０は、フィンガータッチが移動なしに保持されていると判断する。次に、制御部１３０は、８２１段階で保持時間を予め設定された臨界値の時間と比較する。ここで、臨界値の時間は、単一数値であり、一定間隔で区分される多数個の数値よりなる。即ち、制御部１３０は、保持時間が臨界値以上の時間であるか否かを判断する。
【００４６】
８２１段階で保持時間が臨界値以上の時間と判断された場合、制御部１３０は、８２３段階でフィンガータッチのタッチ入力を決定してそれに対応する機能を実行する。この際、保持時間が臨界値の時間に該当する数値のうちの下限値以上の場合に、制御部１３０は、保持時間を臨界値の時間に該当するそれぞれの数値と比較する。また、制御部１３０は、保持時間に対応する数値を検出してフィンガータッチのタッチ入力を決定し、それに対応する機能を実行する。この際、制御部１３０は、タッチスクリーン１２０でフィンガータッチの解除に対応してタッチ入力を決定し、それに対応する機能を実行する。その後、制御部１３０は、図２にリターンする。一方、８２１段階で保持時間が臨界値未満の時間と判断された場合、制御部１３０は、そのまま図２にリターンする。
【００４７】
上述した実施形態で、携帯端末機においてタッチ面積によってパームタッチとフィンガータッチに区分されるものとして記載したが、これに限定されるものではない。即ち、携帯端末機に多数個の臨界値の面積が設定されることによって、携帯端末機は、臨界値の面積を利用してタッチ面積を多様な基準範囲によって区分することができる。また、携帯端末機は、タッチ面積をタッチの移動の有無、移動距離、移動方向、又は保持時間のうちの少なくともいずれか１つと組み合わせてタッチ入力を決定し、それに対応する機能を実行することができる。
【００４８】
以上、図面を参照しながら本発明の実施形態を説明したが、本発明は、上述の実施形態に限定されるものではなく、本発明の技術的範囲から逸脱しない範囲内で多様に変更実施することが可能である。
【符号の説明】
【００４９】
１００    携帯端末機
１１０    無線通信部
１２０    タッチスクリーン
１２１    表示部
１２３    タッチパネル
１２５    タッチ感知部
１２７    信号変換部
１３０    制御部
１３１    面積検出部
１３３    移動追跡部
１３５    時間検出部
１４０    メモリ
１５０    オーディオ処理部
１６０    キー入力部
【図１】
0006983932.tif 000002
【図２】
0006983932.tif 000003
【図３】
0006983932.tif 000004
【図４】
0006983932.tif 000005
【図５】
0006983932.tif 000006
【図６】
0006983932.tif 000007
【図７】
0006983932.tif 000008
【図８】
0006983932.tif 000009
【図９】
0006983932.tif 000010
【図１０】
0006983932.tif 000011